(57)【特許請求の範囲】
【請求項１】
天板と、該天板の下面に並設された少なくとも二枚の遮蔽仕切板とを備えてなる魚路部材を少なくとも左右一対に対向配置することによって魚路段を構成し、該魚路段を一段もしくは複数段毎に９０°向きを変えて積層することにより、各段の遮蔽仕切板と上下の天板とによって形成される通路を上下方向で交叉状に配置したことを特徴とする人工魚礁。
【請求項２】
積層された各魚路段の所定位置に、端部に固定手段を備えた連結杆を上下方向に挿通し、該連結杆によって各魚路段を一体化したことを特徴とする請求項１に記載した人工魚礁。
【請求項３】
天板の所定位置に複数の挿通孔を所定間隔で形成し、積層される各魚路段の、左右一対に対向配置される両魚路部材を下段に至るに従って順次間隔を広げて配置し、上下方向で一致する前記各天板の挿通孔に連結杆を挿通して各魚路段を一体化したことを特徴とする請求項２に記載した人工魚礁。
【発明の詳細な説明】
【０００１】
【発明の属する技術分野】
本発明は、魚類が群集しやすく、製作及び組立てが容易で、耐久性に優れた人工魚礁に関する。
【０００２】
【従来の技術】
従来より、海洋開発の一環として、人工の魚礁を所定海域の海底に設置して、魚類の群集，繁殖に好適な環境を造り出すことにより、漁獲量の維持増大を図る漁場改良が行なわれている。
【０００３】
かかる漁場改良に用いられる一般的な人工魚礁は、コンクリート，鋼鉄，ゴム，プラスチック等を素材にして種々の形状に形成されている。
【０００４】
これらの人工魚礁にあって、コンクリート製のものは、比較的安価に製作することができる反面、セメントによるアルカリ性が強く海洋汚染を招来する恐れがあり、鋼鉄製のものは腐食しやすく耐久性に問題があり、また、ゴムやプラスチックを用いたものは軽量であるため海流によって設置場所から移動しやすいといった欠点がある。
【０００５】
一方、特開平７−１４７８６３号公報に開示されているように、鋳鉄により人工魚礁を構成したものもある。この人工魚礁にあっては、構成素材として鋳鉄を用いていることから、前記鋼鉄製のものと比較して、炭素含有量が多く、そのため海水による腐食が低減されて耐久性があり、また、アルカリ性が強いコンクリート製のもののような海洋汚染を招来する恐れも全くなく、さらに、ゴムやプラスチックを用いた軽量なものとは異なり、重量があるため、海流によって設置場所から移動することもないといった利点を有している。
【０００６】
【発明が解決しようとする課題】
しかしながら、前記公報に開示された鋳鉄製の人工魚礁にあっては、中央に窓孔を形成した矩形状の多数のパネルを組み付けて平面格子状形態を呈するモジュールを形成し、さらに、該モジュールをパネルの長手方向で複数組連結することにより、全体として、立体的なフレーム形状となるようにしている。そして、この人工魚礁の最小構成単位である多数のパネルの組み付けは、互いに当接する全てのパネルの当接部位に対して連結プレートをボルト固定することによって行なっている。このため、パネル製作時に個々のパネルに螺子孔の形成加工をする必要があり、さらに互いに当接する全てのパネルの当接部位に連結プレートを宛がって、ボルトを螺着しなければならないので、その組み付けが極めて面倒なものであり、また、部品点数も多いものとなっている。
【０００７】
一方、このように構成されたフレーム形状の人工魚礁にあっては、格子状面を前後の開口部とする複数の通路を備えているが、かかる通路が全て同一方向に並設されているため、各通路内を流れる海水の流れ方が同じとなり、このため魚類の好みに対応できないという不具合がある。また、各通路を構成する左右及び上下のパネルに窓孔が形成されているため、この窓孔の存在に起因して、通路内を流れる海水に乱流が生じることとなり、この乱流が魚類の習性に適さない場合もある。さらに、各通路は前後方向は勿論のこと、左右方向及び上下方向の何れの方向からも見通し得るため、敵性魚に狙われやすいといった問題点もある。
【０００８】
本発明は、かかる従来の問題点を解消し得る人工魚礁の提供を目的とするものである。
【０００９】
【課題を解決するための手段】
本発明は、一方向に並設される複数の通路を備えてなる魚路段を、各魚路段の通路が一段もしくは複数段毎に上下方向で交叉するように積層したことを特徴とする人工魚礁である。
【００１０】
この構成にあって、天板と、該天板の下面に並設された少なくとも二枚の遮蔽仕切板とを備えてなる魚路部材を少なくとも左右一対に対向配置することによって魚路段を構成し、該魚路段を一段もしくは複数段毎に９０°向きを変えて積層することにより、各段の遮蔽仕切板と上下の天板とによって形成される通路を上下方向で交叉状に配置してなる人工魚礁を提案している。
【００１１】
さらに、前記実施態様にあって、積層された各魚路段の所定位置に、端部に固定手段を備えた連結杆を上下方向に挿通し、該連結杆によって各魚路段を一体化したり、天板の所定位置に複数の挿通孔を所定間隔で形成し、積層される各魚路段の、左右一対に対向配置される両魚路部材を下段に至るに従って順次間隔を広げて配置し、上下方向で一致する前記各天板の挿通孔に連結杆を挿通して各魚路段を一体化したり、前記魚路段を構成する魚路部材を鋳鉄製としたりすることができる。
【００１２】
かかる構成にあって、積層された各魚路段の通路が、一段もしくは複数段毎に上下方向で交叉するように配置されていることにより、方向の異なる通路毎に該通路内を流れる海水の流れ方が変わるので、魚類の好む流れ方に対応し得るものとなる。また、各通路の側面及び上下面が遮蔽されているので、魚類が敵性魚から身を隠すことができ、さらに魚類の習性に不向きな乱流も生じない。
【００１３】
また、積層された各魚路段に上下方向に連結杆を挿通して各魚路段を一体化することにより、組立てを容易且つ迅速に行なうことができ、同一形状の魚路部材によって全体を構成し得るので製作も容易である。さらに、各魚路段の組立て方によって全体を種々の形状に変化させることができ、積層される各魚路段の、左右一対に対向配置される両魚路部材を下段に至るに従って順次間隔を広げて配置することにより、底部が広い略截頭角錐形状となり、以て海底により安定的に設置され得る。また、魚路段を構成する魚路部材を鋳鉄製とすることができるので、海洋汚染を招来する恐れがなく、腐食低減による耐久性があり、重量があるため、海流によって設置場所から移動することもない。
【００１４】
【発明の実施の形態】
以下に、本発明の一実施例を、図１〜図５について説明する。
【００１５】
１は本発明に係る人工魚礁であって、該人工魚礁１は、一方向に並設される複数の通路２を備えてなる魚路段３を積層し、各魚路段３の通路２を一段毎に上下方向で交叉するように積層したものである。
【００１６】
この人工魚礁１は、同一形状に形成された複数の魚路部材４からなる。各魚路部材４は、図２〜図３に示すように、略矩形状の天板５と、該天板５の下面にその長手方向に沿って並設された少なくとも二枚の遮蔽仕切板６とを備えており、鋳鉄を鋳造して一体成形されている。また、天板５には、その長手方向の両端近傍部の所定位置に複数の挿通孔７が幅方向に沿って所定間隔で形成されている。
【００１７】
そして、この同一形状の魚路部材４を左右一対に対向配置することによって前記魚路段３が構成されており、該魚路段３を一段毎に９０°向きを変えて積層することにより、各段の遮蔽仕切板６と上下の天板５，５とによって形成される各段の通路２を上下方向で交叉させるようにしている。
【００１８】
また、積層された各魚路段３の、左右一対に対向配置された両魚路部材４，４は、下段に至るに従って天板５の挿通孔７の間隔に対応させて順次間隔を広げて配置されており、上下方向で一致する各天板５の挿通孔７には、連結杆８が上下方向に挿通される。前記挿通孔７は、各魚路段３の四箇所で一致するように設けられており、この一致する各挿通孔７に４本の連結杆８を挿通し、各連結杆８の上下両端部に固定手段９としてのナット１０を螺合することによって、全ての魚路部材４を連結して各魚路段３を一体化するようにしている。尚、前記連結杆８及びナット１０も鋳鉄製のものが用いられており、海水による腐食を低減させるようにしている。
【００１９】
かかる構成にあって、人工魚礁１を構成する多数の魚路部材４を、全て同一形状に形成し得るので、その製作が容易であり、組立て式であるため出荷流通過程における保管や運搬も容易である。また、各魚路部材４を４本の連結杆８とナット１０とによって連結し得るので、その組立てを容易且つ迅速に行なうことができる。
【００２０】
また、組立てられた人工魚礁１は、各魚路段３の通路２が一段毎に上下方向で交叉するように配置されていることにより、方向の異なる通路２毎に該通路２内を流れる海水の流れ方が変わり、魚類の好む流れ方に対応し得るものとなる。また、各通路２の側面及び上下面が遮蔽されているので、魚類が敵性魚から身を隠すことができ、さらに、各通路２の側面及び上下面に窓孔等がないので通路２内を流れる海水が整流となり、魚類の習性に不向きな乱流の発生が防止され得る。これら種々の作用効果により、優れた集魚効果を発揮し得るものとなっている。
【００２１】
また、前記のように各魚路段３の通路２が直交する二方向に向いていることにより、各通路２を構成する遮蔽仕切板６の側面に生ずる海流の抵抗を低減させることができ、人工魚礁１の海水圧による移動が防止され得る。
【００２２】
さらに、魚路段３を構成する魚路部材４が鋳鉄製であるため、コンクリート製のもののような海洋汚染を招来する恐れがなく、鋼鉄製のものと比較して炭素含有量が多いため、海水による腐食が低減して耐久性があり、重量があるため、海流によって設置場所から移動することもない。
【００２３】
また、積層される各魚路段３の、左右一対に対向配置される両魚路部材４が下段に至るに従って順次間隔を広げて配置されていることにより、人工魚礁１の全体形状が、底部の広い略截頭角錐形状となる。これにより、海底により安定的に設置することができる。
【００２４】
尚、本発明にかかる人工魚礁１は、各魚路段３の組立て方によって全体を種々の形状に変化させることができる。
【００２５】
図６は、その一例を示す図面であって、この実施例は、上部中段の魚路段３ａを構成する両魚路部材４の間隔を広げ、その下方の魚路段３ｂの両魚路部材４の間隔を狭め、さらに、底部の魚路段３ｃの両魚路部材４の間隔を最も広げて配置したものである。
【００２６】
また、図７は、その他の実施例を示す図面であって、この実施例では、左右一対の魚路部材４からなる魚路段３を二段毎に９０°向きを変えて積層したものである。尚、ここで、向きを変える段数は一段以上の複数段毎に個々に設定することも可能である。
【００２７】
また、前記実施例では、各魚路部材４を鋳造により一体成形したものについて説明したが、鋳鉄製の、天板５と遮蔽仕切板６とを溶接して魚路部材４を形成することもでき、また、鋳鉄以外の金属を用いて魚路部材４を形成することも可能である。さらに、前記実施例では、二分割状に形成した左右一対の魚路部材４を対向配置して魚路段３を構成するようにしているが、該魚路部材４を三分割以上に分割形成して魚路段３を構成するようにしてもよい。
【００２８】
【発明の効果】
本発明は上述のように、一方向に並設される複数の通路２を備えてなる魚路段３を積層し、各魚路段３の通路２を、一段もしくは複数段毎に上下方向で交叉するように配置したから、方向の異なる通路２毎に該通路２内を流れる海水の流れ方が変わり、魚類の好む流れ方に対応し得るものとなる。また、各通路２の側面及び上下面が遮蔽されているので、魚類が敵性魚から身を隠すことができ、さらに魚類の習性に不向きな乱流も生じない。これにより、魚類が群集しやすく、優れた集魚効果が得られる。
【００２９】
また、積層された各魚路段３に上下方向に連結杆８を挿通して各魚路段３を一体化することにより、組立てを容易且つ迅速に行なうことができ、同一形状の魚路部材４によって全体を構成し得るので製作も容易であり、部品点数も減少され得る。
【００３０】
さらに、各魚路段３の組立て方によって全体を種々の形状に変化させることができ、積層される各魚路段３の、左右一対に対向配置される両魚路部材４を下段に至るに従って順次間隔を広げて配置することにより、底部が広い略截頭角錐形状となり、以て海底により安定的に設置され得る。
【００３１】
また、魚路段３を構成する魚路部材４を鋳鉄製とすることができるので、海洋汚染を招来する恐れがなく、腐食低減による耐久性があり、重量があるため、海流による設置場所からの移動を防止し得る等の優れた効果がある。
【図面の簡単な説明】
【図１】本発明に係る人工魚礁の一実施例の正面図である。
【図２】魚路段を構成する魚路部材の平面図である。
【図３】図２におけるＡーＡ断面図である。
【図４】本発明に係る人工魚礁の一実施例の平面図である。
【図５】同上の一実施例の縦断側面図である。
【図６】他の実施例の正面図である。
【図７】他の実施例の正面図である。
【符号の説明】
１  人工魚礁
２  通路
３  魚路段
４  魚路部材
５  天板
６  遮蔽仕切板
７  挿通孔
８  連結杆
９  固定手段
【図１】
0003822933.tif 000002
【図２】
0003822933.tif 000003
【図３】
0003822933.tif 000004
【図４】
0003822933.tif 000005
【図５】
0003822933.tif 000006
【図６】
0003822933.tif 000007
【図７】
0003822933.tif 000008